(57)【要約】      （修正有）【課題】燃料電池の内部を流れる電流を測定する電流測定装置の測定精度を向上させる。【解決手段】セルに隣接して配置された測定板の両面に配置された第１、第２電極４２１、４２２、第１、第２電極４２１、４２２を電気的に接続する抵抗体４２３を含んで構成される電流測定部４２と、第１電極４２１側に電気的に接続された第１信号線４２４ａ、および第２電極４２２側に電気的に接続された第２信号線４２４ｂを介して、抵抗体４２３に生ずる電圧を検出する電圧検出部と、電圧検出部にて検出した検出値、および抵抗体４２３の電気抵抗値から電流測定部４２に流れる電流値を算出する電流値算出部からなり、第１信号線４２４ａおよび第２信号線４２４ｂの少なくとも一部は、前記測定板の内部において前記測定板の板面方向に平行に近接して配置されている。【選択図】図５
2014059961.tif 000002
【特許請求の範囲】
【請求項１】
酸化剤ガスと燃料ガスとを電気化学反応させて、電気エネルギを出力する複数のセル（１０）を積層配置した燃料電池（１）に適用され、前記セルのインピーダンスを計測する際に前記セルを流れる電流を測定する電流測定装置であって、
前記セルに隣接して配置された板状部材（４１）と、
前記板状部材の両面に配置された第１、第２電極（４２１、４２２）、予め定めた電気抵抗値を有すると共に前記第１、第２電極を電気的に接続する抵抗体（４２３）を含んで構成される電流測定部（４２）と、
前記第１電極側に電気的に接続された第１信号線（４２４ａ）、および前記第２電極側に電気的に接続された第２信号線（４２４ｂ）を介して、前記抵抗体に生ずる電圧を検出する電圧検出手段（４３１）と、
前記電圧検出手段にて検出した検出値、および前記抵抗体の電気抵抗値から前記電流測定部に流れる電流値を算出する電流値算出手段（４３２）と、を備え、
前記第１信号線および前記第２信号線の少なくとも一部は、前記板状部材の内部において前記板状部材の板面方向に平行に近接して配置されていることを特徴とする電流測定装置。
【請求項２】
少なくとも前記第１信号線および前記第２信号線と前記抵抗体との間には、前記第１信号線および前記第２信号線と前記抵抗体との間の相互誘導を抑制するシールド手段（４２５ａ）が設けられていることを特徴とする請求項１に記載の電流測定装置。
【請求項３】
前記第１信号線および前記第２信号線は、前記第１、第２電極のうち一方の電極と前記抵抗体との間に配線されており、
少なくとも前記第１信号線および前記第２信号線と前記一方の電極との間には、前記第１信号線および前記第２信号線と前記一方の電極との間の相互誘導を抑制するシールド手段（４２５ｂ）が設けられていることを特徴とする請求項１または２に記載の電流測定装置。
【発明の詳細な説明】
【技術分野】
【０００１】
本発明は、燃料電池の内部を流れる電流を測定する電流測定装置に関する。
【背景技術】
【０００２】
従来、複数のセルを積層した燃料電池スタックのセル間に、電流測定装置を配置して、当該電流測定装置からの出力等に基づいて、燃料電池スタックの内部インピーダンスを算出するものが知られている（例えば、特許文献１参照）。
【０００３】
この特許文献１に記載の電流測定装置は、隣接するセルの一方に電気的に接触する第１電極、他方に電気的に接触する第２電極、および各電極間を電気的に接続する抵抗体を有する電流測定部を備えている。そして、電流測定部における抵抗体に生ずる電圧（各電極間の電位差）を電圧センサで検出し、当該電圧センサの検出値および抵抗体の電気抵抗値からセル間に流れる電流を測定する構成としている。
【先行技術文献】
【特許文献】
【０００４】
【特許文献１】特開２００９−２５２７０６号公報
【発明の概要】
【発明が解決しようとする課題】
【０００５】
ところで、特許文献１に記載の電流測定装置を、燃料電池の交流インピーダンスを計測するための電流測定手段として用いる場合、セルから出力される出力電流を可能な限りそのまま検出できるよう抵抗体の抵抗値を数ｍΩ以下（典型的にはμΩオーダ）にすることが望ましい。
【０００６】
しかし、電流測定部の抵抗体の抵抗値を小さくすると、燃料電池に印加される交流信号の周波数が高くなるにつれて、電流測定部の電流経路に流れる電流とセルから出力される出力電流との乖離が大きくなり、電流測定装置にて正確に電流を測定できないといった問題がある。
【０００７】
この点について、本発明者らが調査したところ、高周波数の電流が電流測定部を流れると、電圧センサにて各電極間の電位差を検出するために各電極等から引き出された信号線と電流測定部の電流経路との間に相互誘導が生じ、電圧センサにて抵抗体に生ずる電圧を精度よく検出できず、電流測定装置における電流の測定精度が低下することが分かった。
【０００８】
本発明は上記点に鑑みて、燃料電池の内部を流れる電流を測定する電流測定装置において、電流の測定精度を向上させることを目的とする。
【課題を解決するための手段】
【０００９】
本発明は、酸化剤ガスと燃料ガスとを電気化学反応させて、電気エネルギを出力する複数のセル（１０）を積層配置した燃料電池（１）に適用され、セルのインピーダンスを計測する際にセルを流れる電流を測定する電流測定装置を対象としている。
【００１０】
上記目的を達成するため、請求項１に記載の発明では、セルに隣接して配置された板状部材（４１）と、板状部材の両面に配置された第１、第２電極（４２１、４２２）、予め定めた電気抵抗値を有すると共に第１、第２電極を電気的に接続する抵抗体（４２３）を含んで構成される電流測定部（４２）と、第１電極側に電気的に接続された第１信号線（４２４ａ）、および第２電極側に電気的に接続された第２信号線（４２４ｂ）を介して、抵抗体に生ずる電圧を検出する電圧検出手段（４３１）と、電圧検出手段にて検出した検出値、および抵抗体の電気抵抗値から電流測定部に流れる電流値を算出する電流値算出手段（４３２）と、を備える。そして、第１信号線および第２信号線の少なくとも一部は、板状部材の内部において板状部材の板面方向に平行に近接して配置されていることを特徴としている。
【００１１】
なお、この欄および特許請求の範囲で記載した各手段の括弧内の符号は、後述する実施形態に記載の具体的手段との対応関係の一例を示すものである。
【図面の簡単な説明】
【００１２】
【図１】第１実施形態に係る燃料電池システムの全体構成図である。
【図２】第１実施形態に係る燃料電池の模式的な斜視図である。
【図３】信号付加部にて燃料電池の出力電流に付加する交流信号を説明するための説明図である。
【図４】第１実施形態に係る電流測定板の模式的な分解斜視図である。
【図５】第１実施形態に係る電流測定部の模式的な分解斜視図である。
【図６】第１実施形態に係る電流測定部の模式的な断面図である。
【図７】従来例の電流測定部において、各信号線に作用する相互誘導を説明するための説明図である。
【図８】従来例における測定電流と真の電流との関係を示すフェーザ図である。
【図９】従来例および本例における電流の測定結果を説明するための説明図である。
【図１０】本例の電流測定部において、各信号線に作用する相互誘導を説明するための説明図である。
【図１１】本例における測定電流と真の電流との関係を示すフェーザ図である。
【図１２】第２実施形態に係る電流測定部の模式的な分解斜視図である。
【図１３】第２実施形態に係る電流測定部の模式的な断面図である。
【図１４】第３実施形態に係る電流測定部の模式的な断面図である。
【発明を実施するための形態】
【００１３】
以下、本発明の実施形態について図に基づいて説明する。なお、以下の各実施形態相互において、互いに同一もしくは均等である部分には、図中、同一符号を付してある。
【００１４】
（第１実施形態）
まず、第１実施形態について説明すると、本実施形態の電流測定装置４は、電気自動車の一種である燃料電池車両の燃料電池システムに適用されて、車両に搭載された燃料電池１のセル１０内部を流れる電流を測定するものである。
【００１５】
燃料電池１は、水素と酸素との電気化学反応を利用して電気エネルギを出力するものであり、本実施形態では、燃料電池１として固体高分子型燃料電池を採用している。
【００１６】
図１の全体構成図に示すように、本実施形態の燃料電池１は、ＤＣ−ＤＣコンバータ２を介して主に車両走行用電動モータや二次電池といった電気負荷（図示略）に電力を供給するように構成されている。
【００１７】
図２に示すように、燃料電池１は、基本単位となる複数のセル１０が積層配置されたスタック構造であり、各セル１０を電気的に直列接続した直列接続体として構成されている。なお、図２では、燃料電池１の内部構造を示すために、燃料電池１を構成するセル１０の一部を透視図で示している。
【００１８】
各セル１０は、燃料ガスである水素および酸化剤ガスである空気といった反応ガスが供給されると、以下に示すように、水素および酸素の電気化学反応により、電気エネルギを出力する。
（水素極：アノード電極）Ｈ２→２Ｈ＋＋２ｅ−
（酸素極：カソード電極）２Ｈ＋＋１／２Ｏ２＋２ｅ−→Ｈ２Ｏ
燃料電池１から出力される電気エネルギは、燃料電池１全体として出力される出力電圧を検出する電圧センサ（図示略）、および燃料電池１全体として出力される出力電流を検出する電流センサ（図示略）によって計測される。これらの各センサは、測定結果を示す検出信号が後述する制御装置１００に入力されるように、制御装置１００の入力側に接続されている。
【００１９】
本実施形態の燃料電池１は、双方向に電力供給可能なＤＣ−ＤＣコンバータ２を介して、各種電気負荷に電気的に接続されている。ＤＣ−ＤＣコンバータ２は、燃料電池１から各種電気負荷、あるいは、各種電気負荷から燃料電池１への電力の流れを制御するものである。
【００２０】
また、各セル１０のうち、インピーダンスの測定対象となる測定対象セル１０には、測定対象セル１０には、セル電圧センサ５が接続されており、当該セル電圧センサ５により、測定対象セル１０のセル電圧を検出可能となっている。
【００２１】
さらに、測定対象セル１０および当該測定対象セル１０に隣接するセル１０との間には、測定対象セル１０の面内の電流分布を測定するための電流測定装置４が設けられている。なお、電流測定装置４の詳細については後述する。
【００２２】
燃料電池１には、空気を供給する空気供給配管２０、および燃料電池１からの排出空気を外部へ排出する空気排出配管２１が接続されている。
【００２３】
空気供給配管２０の最上流部には、大気中から吸入した空気を燃料電池１に圧送するための空気ポンプ２２が設けられ、空気排出配管２１には、燃料電池１内の空気の圧力を調整するための空気調圧弁２３が設けられている。なお、本実施形態では、空気ポンプ２２および空気調圧弁２３によって、所定の流量および圧力の空気を燃料電池１に供給する空気供給手段が構成される。
【００２４】
また、燃料電池１には、水素を供給する水素供給配管３０、および燃料電池１にて電気化学反応を終えた微量な水素等を外部へ排出する水素排出配管３１が接続されている。
【００２５】
水素供給配管３０の最上流部には、高圧水素が充填された高圧水素タンク３２が設けられ、水素供給配管３０における高圧水素タンク３２と燃料電池１との間には、燃料電池１に供給される水素の圧力を調整する水素調圧弁３３が設けられている。なお、本実施形態では、この水素調圧弁３３によって、所望の圧力の水素を燃料電池１に供給する水素供給手段が構成される。また、水素排出配管３１には、生成水を微量な水素とともに外気へ排出するために所定の時間間隔で開閉する電磁弁３４が設けられている。
【００２６】
燃料電池システムには、燃料電池１の状態を診断すると共に、燃料電池１における発電量を制御する制御装置１００が設けられている。この制御装置１００は、各種入力信号に基づいて、燃料電池システムを構成する各種電気式アクチュエータの作動を制御するもので、ＣＰＵ、ＲＯＭ、ＲＡＭ等からなる周知のマイクロコンピュータとその周辺回路にて構成されている。
【００２７】
本実施形態の制御装置１００の入力側には、電流測定装置４、セル電圧センサ５等が接続されており、各機器からの出力信号が入力される。
【００２８】
一方、制御装置１００の出力側には、上述の空気ポンプ２２、空気調圧弁２３、水素調圧弁３３、電磁弁３４といった各種電気式アクチュエータや、ＤＣ−ＤＣコンバータ２等が接続されており、これら制御機器が制御装置１００からの制御信号により制御される。
【００２９】
本実施形態の制御装置１００は、図２に示すように、信号付加部１０１、インピーダンス算出部１０２、診断部１０３といった構成（ソフトウェアおよびハードウェア）を備えている。
【００３０】
信号付加部１０１は、図３に示すように、燃料電池１の出力電流（直流成分Ｉ）に対して予め定めた高周波域内の交流信号（交流成分ΔＩ）を付加（重畳）する信号付加手段を構成している。なお、信号付加部１０１にて付加する交流信号は、燃料電池１の発電状態への影響を考慮して、燃料電池１の出力電流の１０％以内としている。
【００３１】
インピーダンス算出部１０２は、信号付加部１０１にて燃料電池１の出力電流に交流信号を付加した際の電流測定装置４およびセル電圧センサ５の検出値から測定対象セル１０の局所部位におけるインピーダンスを算出するインピーダンス算出手段を構成している。本実施形態のインピーダンス算出部１０２は、例えば、高速フーリエ変換処理等によって、交流信号の周波数に対応するインピーダンスを算出可能となっている。
【００３２】
診断部１０３は、インピーダンス算出部１０２にて算出したインピーダンスを用いて、測定対象セル１０内部の状態を診断する診断手段を構成している。例えば、診断部１０３では、低周波数の交流信号を印加した際のインピーダンスが所定値よりも大きい場合に、燃料電池１内部の含水量が適正量よりも少ない状態（ドライアップ）と診断し、高周波数の交流信号を印加した際のインピーダンスが所定値よりも大きい場合に、燃料電池１内部の含水量が適正量（フラッディング）よりも多い状態と診断する。なお、このような診断方法は、あくまでも一例であり、他の診断方法により燃料電池１の診断を行うようにしてもよい。
【００３３】
次に、電流測定装置４の詳細について説明する。本実施形態の電流測定装置４は、図４に示すように、測定対象セル１０に隣接して配置された測定板（板状部材）４１、測定板４１に一体的に設けられた複数の電流測定部４２、測定対象セル１０を流れる電流を算出する信号処理部４３を備えている。
【００３４】
まず、測定板４１について説明すると、測定板４１は、配線パターンが形成された複数のプリント基板４１１〜４１３を積層した積層基板として構成されている。本実施形態の測定板４１は、第１〜第３プリント基板４１１〜４１３といった３枚のプリント基板を積層して構成している。これら各プリント基板４１１〜４１３は、絶縁性接着剤４１４、４１５を介在させてホットプレスにより一体化されている。なお、各プリント基板４１１〜４１３としては、一般的なガラスエポキシ基板を用いることができる。
【００３５】
各プリント基板４１１〜４１３には、その周縁部にそれぞれ積層基板の表裏を貫通穴が形成されている。これら貫通穴は、セル１０を積層した際に、空気、水素、冷却水を通過させるためのマニホールドとして機能する。
【００３６】
また、各プリント基板４１１〜４１３の中央部には、複数の電流測定部４２が直交する二方向にマトリクス状（格子状）に配置されている。つまり、本実施形態では、電流測定部４２が、測定板４１の板面の全体に渡って配置されており、電流測定装置４にて、セル１０面内の電流分布を測定可能となっている。
【００３７】
続いて、電流測定部４２について図５の分解斜視図、および図６の断面図を用いて説明する。電流測定部４２は、図５および図６に示すように、測定板４１の両面に配置された第１、第２電極４２１、４２２、および予め定めた電気的抵抗値を有すると共に各電極４２１、４２２を電気的に接続する抵抗体４２３を有して構成されている。
【００３８】
第１電極４２１は、測定対象セル１０のセル面に電気的に接触するように、測定板４１における測定対象セル１０に対向する面に設けられている。また、第２電極４２２は、測定対象セル１０に隣接するセル１０のセル面に電気的に接触するように、測定板４１における測定対象セル１０に対向する面の反対側の面に設けられている。
【００３９】
具体的には、第１電極４２１は、第１プリント基板４１１の前面（セル１０に対向する面）に配置され、第２電極４２２は、第３プリント基板４１３の背面（セル１０に対向する面）に配置されている。
【００４０】
抵抗体４２３は、第１接続部４２ａを介して第１電極４２１に電気的に接続される板状の第１抵抗部４２３ａ、および第２接続部４２ｂを介して第１抵抗部４２３ａに電気的に接続されると共に第３接続部４２ｃを介して第２電極４２２に電気的に接続される板状の第２抵抗部４２３ｂを有して構成されている。
【００４１】
具体的には、第１抵抗部４２３ａは、第２プリント基板４１２の前面（第１プリント基板４１１に対向する面）に配置され、第２抵抗部４２３ｂは、第２プリント基板４１２の背面（第３プリント基板４１３に対向する面）に配置されている。なお、電流測定部４２の各電極４２１、４２２、および抵抗体４２３は、例えば、銅箔やニッケル箔等の金属箔にて構成されている。
【００４２】
ここで、第１接続部４２ａは、第１プリント基板４１１を貫通する複数のビアで構成されると共に、第２接続部４２ｂは、各プリント基板４１１〜４１３を貫通する複数のスルーホールで構成され、さらに、第３接続部４２ｃは、第３プリント基板４１３を貫通する複数のビアで構成されている。これらビアおよびスルーホールの内壁面には、銅等の導電体によりメッキ層が構成されている。なお、第１、第２電極４２１、４２２は、各電極４２１、４２２に形成された逃がし部４２１ａ、４２２ａにより第２接続部４２ｂから電気的に絶縁されている。
【００４３】
本実施形態の電流測定部４２には、抵抗体４２３に生ずる電圧を検出するための信号線４２４が配置されている。信号線４２４は、第１接続部４２ａ（第１電極側）に接続されて抵抗体４２３における第１電極４２１側の電位を引き出す第１信号線４２４ａ、および第３接続部４２ｃ（第２電極側）に接続されて抵抗体４２３における第２電極４２２側の電位を引き出す第２信号線４２４ｂで構成されている。
【００４４】
第１信号線４２４ａは、第１接続部４２ａにおける電位を、第１プリント基板４１１の背面（第２プリント基板４１２に対向する面）から、電流測定部４２の中央に設けられたスルーホール４２ｄ、および第３プリント基板４１３の前面（第２プリント基板４１２に対向する面）を介して、後述する信号処理部４３へ引き出す配線である。なお、各電極４２１、４２２および抵抗体４２３それぞれは、逃がし部４２１ｂ、４２２ｂ、４２３ｃによりスルーホール４２ｄから電気的に絶縁されている。
【００４５】
第２信号線４２４ｂは、第３接続部４２ｃにおける電位を、第３プリント基板４１３の前面（第２プリント基板４１２に対向する面）を介して、後述する信号処理部４３へ引き出す配線である。
【００４６】
そして、各信号線４２４ａ、４２４ｂは、第３プリント基板４１３の前面において、測定板４１の板面方向に平行に近接するように配置されている。換言すれば、本実施形態の各信号線４２４ａ、４２４ｂは、僅かな隙間をあけた状態で、同一平面上において測定板４１の板面方向に延びるように配置されている。なお、各信号線４２４ａ、４２４ｂは、各電極４２１、４２２と同様に金属箔（例えば、銅箔）にて構成されている。
【００４７】
続いて、信号処理部４３について説明する。信号処理部４３は、ＣＰＵ、ＲＯＭ、ＲＡＭ等からなる周知のマイクロコンピュータとその周辺回路にて構成されている。本実施形態の信号処理部４３は、信号線４２４を介して各電流測定部４２の抵抗体４２３に生ずる電圧を検出する電圧検出部（電圧検出手段）４３１、電圧検出部４３１にて検出した電圧、および予め記憶部４３３に記憶された抵抗体４２３の電気抵抗値から各電流測定部４２に流れる電流値を算出する電流値算出部（電流値算出手段）４３２を備えている。なお、信号処理部４３は、制御装置１００の入力側に接続されており、電流値算出部４３２にて算出された電流値を制御装置１００へ出力するように構成されている。
【００４８】
次に、本実施形態の電流測定装置による電流測定方法について説明する。なお、電流測定時には、制御装置１００の信号付加部１０１にて燃料電池１の出力電流に所定周波数の交流信号が重畳されているものとする。
【００４９】
燃料電池１に対して水素および空気が供給されると、各セル１０における水素と酸素との電気化学反応により電気エネルギが生成され、燃料電池１での発電が開始される。
【００５０】
燃料電池１の発電が開始されると、電流測定装置４の各電流測定部４２には、測定対象セル１０からの電流が、図６の点線矢印で示すように、第１電極４２１→第１接続部４２ａ→第１抵抗部４２３ａ→第２接続部４２ｂ→第２抵抗部４２３ｂ→第３接続部４２ｃ→第２電極４２２へと流れる。
【００５１】
そして、信号処理部４３は、電圧検出部４３１にて、各信号線４２４ａ、４２４ｂを介して第１接続部４２ａおよび第２接続部４２ｂと電位差を抵抗体４２３に生ずる電圧として検出すると共に、電流値算出部４３２にて、各電流測定部４２に流れる電流値を算出して、制御装置１００へ各電流測定部４２に流れる電流値を出力する。
【００５２】
ここで、従来の電流測定部（従来例）では、図７に示すように、第１信号線４２４ａを第１電極４２１と抵抗体４２３との間に配置し、第２信号線４２４ｂを第２電極４２２と抵抗体４２３との間に配置している。
【００５３】
このような構成では、各電極４２１、４２２を流れる電流により、各電極４２１、４２２と各信号線４２４ａ、４２４ｂとの間に相互誘導が生ずる。この相互誘導によって、図８のフェーザ図に示すように、信号処理部４３にて算出する電流値の位相が、真の電流値（真値）に対して相互インダクタンス（＋Ｍ）分乖離する。
【００５４】
これにより、電流測定装置４における電流の測定精度が悪化してしまう。なお、図８における一点鎖線は、相互インダクタンスがマイナス（−Ｍ）となる場合における信号処理部４３にて算出する電流を示している。
【００５５】
本発明者らの研究によれば、信号処理部４３にて算出した電流値の位相と真値と乖離は、図９に示すように、燃料電池１の出力電流に重畳させる交流信号の周波数の上昇に伴って顕著に大きくなる結果となった。
【００５６】
これに対して、本実施形態の電流測定部４２（本例）では、図１０に示すように、各信号線４２４ａ、４２４ｂの一部を第２電極４２２と抵抗体４２３との間の同一平面において、平行に延びるように近接して配置している。
【００５７】
このような構成では、第２電極４２２を流れる電流により、第２電極と各信号線４２４ａ、４２４ｂとの間に相互誘導が生ずるものの、図１１のフェーザ図に示すように、第２電極４２２と第１信号線４２４ａとの間の相互インダクタンス（−Ｍ）と、第２電極４２２と第２信号線４２４ｂとの間の相互インダクタンス（＋Ｍ）とが相殺される。
【００５８】
このため、信号処理部４３にて算出する電流値の位相と真の電流値（真値）との乖離を抑制することができ、電流測定装置４における電流の測定精度を向上させることができる。なお、本発明者らの研究によれば、信号処理部４３にて算出した電流値の位相は、図９に示すように、燃料電池１の出力電流に重畳させる交流信号の周波数の上昇した際にも殆ど真値から乖離しない結果となった。
【００５９】
以上説明した本実施形態では、各信号線４２４ａ、４２４ｂの一部を、測定板４１の板面方向に平行に近接して配置する構成としている。これよれば、電流測定部４２の電流経路と第１信号線４２４ａとの間の相互インダクタンスが、電流測定部４２の電流経路と第２信号線４２４ｂとの間の相互インダクタンスによって相殺される。このため、電流測定部４２の電流経路と信号線４２４との間に生ずる相互誘導が、信号処理部４３の電圧検出部４３１における電圧検出に影響することを抑制することができる。この結果、電流測定装置４における電流の測定精度の向上させることが可能となる。
【００６０】
（第２実施形態）
次に、第２実施形態について説明する。本実施形態では、電流測定部４２の抵抗体４２３を単一の抵抗部で構成している点が第１実施形態と相違している。なお、本実施形態では、第１実施形態と同様または均等な部分についての説明を省略、または簡略化して説明する。
【００６１】
図１２の分解斜視図、および図１３の断面図に示すように、本実施形態の電流測定部４２は、第１、第２電極４２１、４２２、および単一の抵抗部で構成される抵抗体４２３を備えている。
【００６２】
具体的には、抵抗体４２３は、第２プリント基板４１２の前面（第１プリント基板４１１に対向する面）に配置されている。つまり、抵抗体４２３は、第２プリント基板４１２の片面にだけ配置されている。
【００６３】
抵抗体４２３は、一端側が第１接続部４２ａを介して第１電極４２１に電気的に接続され、他端側が第２接続部４２ｂを介して第２電極４２２に電気的に接続されている。
【００６４】
本実施形態の第１接続部４２ａ、および第２接続部４２ｂは、それぞれ各プリント基板４１１〜４１３を貫通する複数のスルーホールで構成されている。なお、第１電極４２１は、第１電極４２１に形成された逃がし部４２１ａにより第２接続部４２ｂから電気的に絶縁され、第２電極４２２は、第２電極４２２に形成された逃がし部４２２ａにより第１接続部４２ａから電気的に絶縁されている。
【００６５】
本実施形態の各信号線４２４ａ、４２４ｂは、それぞれ第３プリント基板４１３の前面（第２プリント基板４１２に対向する面）に配置され、第３プリント基板４１３の前面において、各接続部４２ａ、４２ｂから中央部に向かって延び、当該中央部にて測定板４１の板面方向に平行に近接して延びるように配置されている。
【００６６】
その他の構成は第１実施形態と同様であり、本実施形態の電流測定部４２には、燃料電池１の発電が開始されると、測定対象セル１０からの電流が、図１３の点線矢印で示すように、第１電極４２１→第１接続部４２ａ→抵抗体４２３→第２接続部４２ｂ→第２電極４２２へと流れる。
【００６７】
そして、信号処理部４３は、電圧検出部４３１にて、各信号線４２４ａ、４２４ｂを介して第１接続部４２ａおよび第２接続部４２ｂと電位差を抵抗体４２３に生ずる電圧として検出すると共に、電流値算出部４３２にて、各電流測定部４２に流れる電流値を算出して、制御装置１００へ各電流測定部４２に流れる電流値を出力する。
【００６８】
以上説明した本実施形態では、電流測定部４２の抵抗体４２３を単一の抵抗部とした構成において、各信号線４２４ａ、４２４ｂの一部を、測定板４１の板面方向に平行に近接して配置している。これよれば、第１実施形態と同様に、電流測定部４２の電流経路と信号線４２４との間に生ずる相互誘導が、信号処理部４３の電圧検出部４３１における電圧検出に影響することを抑制することができ、電流測定装置４における電流の測定精度の向上させることが可能となる。
【００６９】
（第３実施形態）
次に、本発明の第３実施形態について説明する。本実施形態では、各電極４２１、４２２、および抵抗体４２３と信号線４２４との間の相互誘導を抑制するシールド部材を追加している点が第２実施形態と相違している。本実施形態では、第１、第２実施形態と同様または均等な部分についての説明を省略、または簡略化して説明する。
【００７０】
図１４の断面図に示すように、本実施形態の電流測定部４２は、第１、第２電極４２１、４２２、抵抗体４２３、およびシールド手段を構成する第１、第２シールド部材４２５ａ、４２５ｂを備えている。
【００７１】
具体的には、本実施形態の抵抗体４２３は、第１プリント基板４１１の背面（第２プリント基板４１２に対向する面）に配置されている。
【００７２】
また、本実施形態の各信号線４２４ａ、４２４ｂは、第２プリント基板４１２の背面（第３プリント基板４１３に対向する面）に配置されている。つまり、本実施形態の各信号線４２４ａ、４２４ｂは、第２電極４２２と抵抗体４２３との間に配置されている。なお、図示しないが、各信号線４２４は、第２プリント基板４１２の背面において、各接続部４２ａ、４２ｂから中央部に向かって延び、当該中央部にて測定板４１の板面方向に平行に近接して延びるように配置されている。
【００７３】
第１シールド部材４２５ａは、抵抗体４２３と各信号線４２４ａ、４２４ｂとの間の相互誘導を抑制するシールド手段を構成し、抵抗体４２３と各信号線４２４ａ、４２４ｂとの間に配置されている。
【００７４】
また、第２シールド部材４２５ｂは、第２電極４２２と各信号線４２４ａ、４２４ｂとの間の相互誘導を抑制するシールド手段を構成し、第２電極４２２と各信号線４２４ａ、４２４ｂとの間に配置されている。
【００７５】
具体的には、第１シールド部材４２５ａは、第２プリント基板４１２の前面（第１プリント基板４１１に対向する面）に配置され、第２シールド部材４２５ｂは、第３プリント基板４１３の前面（第２プリント基板４１２に対向する面）に配置されている。なお、各シールド部材４２５ａ、４２５ｂとしては、透磁率の高くなるように、各電極４２１、４２２よりも厚みのある銅箔で構成したり、透磁率の高い材料（強磁性体）で構成したりすればよい。
【００７６】
以上説明した本実施形態の構成によれば、第１、第２実施形態と同様に、電流測定部４２の電流経路と信号線４２４との間に生ずる相互誘導が、信号処理部４３の電圧検出部４３１における電圧検出に影響することを抑制することができ、電流測定装置４における電流の測定精度の向上させることが可能となる。
【００７７】
これに加えて、電流測定部４２に、各電極４２１、４２２、および抵抗体４２３と信号線４２４との間の相互誘導を抑制するシールド部材４２５ａ、４２５ｂを追加しているので、電流測定部４２の電流経路と信号線４２４との間に生ずる相互誘導を効果的に抑制することができる。
【００７８】
なお、電流測定部４２の電流経路と信号線４２４との間に生ずる相互誘導の抑制を図るために、第１実施形態の構成に対して、本実施形態で説明した各シールド部材４２５ａ、４２５ｂを追加するようにしてもよい。
【００７９】
（他の実施形態）
以上、本発明の実施形態について説明したが、本発明はこれに限定されるものではなく、各請求項に記載した範囲を逸脱しない限り、当業者が通常有する知識に基づいて適宜変更することができる。例えば、以下のように種々変形可能である。
【００８０】
（１）上述の各実施形態では、各信号線４２４ａ、４２４ｂの一部を第２電極４２２と抵抗体４２３との間の同一平面において、平行に延びるように近接して配置する例について説明したが、これに限定されない。例えば、各信号線４２４ａ、４２４ｂの一部を第１電極４２１と抵抗体４２３との間の同一平面において、平行に延びるように近接して配置するようにしてもよい。
【００８１】
（２）上述の各実施形態では、各信号線４２４ａ、４２４ｂの一部が、測定板４１の板面方向にて平行に近接するように配置する例について説明したが、これに限らず、各信号線４２４ａ、４２４ｂの全部が、測定板４１の板面方向にて平行に近接するように、電流測定部４２内部における配線レイアウトを変更してもよい。
【００８２】
（３）上述の第３実施形態では、第２電極４２２と抵抗体４２３との間に信号線４２４を配置する例について説明したが、これに限らず、第１電極４２１と抵抗体４２３との間に信号線４２４を配置するようにしてもよい。この場合、第２シールド部材４２５ｂを第１電極４２１と信号線４２４との間に配置すればよい。
【００８３】
（４）上述の第３実施形態の如く、各電極４２１、４２２のうち一方の電極と信号線４２４との間、および抵抗体４２３と信号線４２４との間の双方に、シールド部材４２５ａ、４２５ｂを配置することが望ましいが、いれずれか片方にだけ配置するようにしてもよい。
【００８４】
（５）上述の各実施形態では、電流測定装置４として、セル１０面内の全体に対応して、複数の電流測定部４２を設ける例について説明したが、電流測定部４２は少なくとも１つ設けられていればよい。これにより、セル１０における電流測定部４２に対応する局所部位を流れる局所電流を測定することができる。
【００８５】
（６）上述の各実施形態では、電流測定装置４の測定板４１を隣り合うセル１０間に配置する例について説明した、これに限らず、燃料電池１の積層方向端部に配置してもよい。これによれば、積層方向端部に位置するセル１０を流れる電流を測定することができる。
【００８６】
（７）上述の各実施形態では、測定板４１を複数のプリント基板４１１〜４１３を積層した積層基板で構成する例について説明したが、これに限らず、絶縁性を有する基材であれば適宜採用することができる。
【００８７】
（８）上述の各実施形態では、車両に搭載された燃料電池１に本発明の電流測定装置４を適用する例について説明したが、これに限らず、例えば、車両以外の移動体（ロボット、船舶、航空機等）に用いられる燃料電池１や、建物（住宅、ビル等）の発電設備として用いられる燃料電池１に適用してもよい。
【符号の説明】
【００８８】
１        燃料電池
１０      セル
４        電流測定装置
４１      測定板（板状部材）
４２      電流測定部
４２１    第１電極
４２２    第２電極
４２３    抵抗体
４２４ａ  第１信号線
４２４ｂ  第２信号線
４３１    電圧検出部（電圧検出手段）
４３２    電流値算出部（電流値算出手段）
【図１】
2014059961.tif 000003
【図２】
2014059961.tif 000004
【図３】
2014059961.tif 000005
【図４】
2014059961.tif 000006
【図５】
2014059961.tif 000007
【図６】
2014059961.tif 000008
【図７】
2014059961.tif 000009
【図８】
2014059961.tif 000010
【図９】
2014059961.tif 000011
【図１０】
2014059961.tif 000012
【図１１】
2014059961.tif 000013
【図１２】
2014059961.tif 000014
【図１３】
2014059961.tif 000015
【図１４】
2014059961.tif 000016